(57)【要約】【課題】キーボード、ビデオ及びマウス信号延長装置用のマトリクスアーキテクチャを提供する。【解決手段】マトリクスアーキテクチャは、複数の第１信号延長装置と複数の第２信号延長装置、及び複数のブロードキャスト装置を含む。第１信号延長装置はアナログキーボード、マウス信号をキーボード、マウスデータパケットに変換し、かつビデオデータパケットをアナログビデオ信号に変換し、第２信号延長装置はアナログビデオ信号をビデオデータパケットに変換し、かつキーボード、マウスデータパケットをアナログキーボード、マウス信号に変換し、複数のブロードキャスト装置は第２信号延長装置から第１信号延長装置まで、ビデオデータパケットをブロードキャストし、第１信号延長装置から第２信号延長装置まで、キーボード、マウスデータパケットをブロードキャストすることで、遠隔制御装置とコンピュータの間の接続が完成する。【選択図】  図３
2007110720.tif 000002
【特許請求の範囲】
【請求項１】
複数台の遠隔制御装置と複数台のコンピュータの間に備える少なくとも一台のブロードキャスト装置を経由し、複数台の遠隔制御装置からのキーボード、マウスデータパケットと複数台のコンピュータからのビデオデータパケットをブロードキャストする信号延長装置用のマトリクスアーキテクチャであって、複数台の遠隔制御装置及び複数台のブロードキャスト装置を接続して、アナログキーボード、マウス信号をキーボード、マウスデータパケットに変換し、かつビデオデータパケットをアナログビデオ信号に変換すると、遠隔制御装置のモニターで表示されて、これらのブロードキャスト装置がそれぞれ一台の遠隔制御装置を指すソースアドレス及び一台のコンピュータを指す目標アドレスを有するキーボード、マウスデータパケットをブロードキャストすると、前記遠隔制御装置から前記コンピュータへルートし、かつそれぞれ一台の遠隔制御装置を指す目標アドレス及び一台のコンピュータを指すソースアドレスを有するビデオデータパケットをブロードキャストすると、前記コンピュータから前記遠隔制御装置へルートできる複数の第１信号延長装置と、複数台のコンピュータ及び複数台のブロードキャスト装置を接続して、アナログビデオ信号をビデオデータパケットに変換し、かつキーボード、マウスデータパケットをアナログキーボード、マウス信号に変換すると、コンピュータを制御して、これらのブロードキャスト装置が、これらの第２信号延長装置からこれらの第１信号延長装置へ、それぞれ一台のコンピュータを指すソースアドレス及び一台の遠隔制御装置を指す目標アドレスを有するビデオデータパケットをブロードキャストすると、前記コンピュータから前記遠隔制御装置へルートし、かつこれらの第１信号延長装置からこれらの第２信号延長装置へ、それぞれ一台の遠隔制御装置を指すソースアドレス及び一台のコンピュータを指す目標アドレスを有するキーボード、マウスデータパケットをブロードキャストすると、前記遠隔制御装置から前記コンピュータへルートする複数の第２信号延長装置とを含むことを特徴とする信号延長装置用のマトリクスアーキテクチャ。
【請求項２】
各にキーボード、モニター及びマウス装置を有する複数台の遠隔制御装置と複数台のコンピュータを接続するため、複数台の遠隔制御装置及び複数台のブロードキャスト装置を接続して、アナログキーボード、マウス信号をキーボード、マウスデータパケットに変換し、かつビデオデータパケットをアナログビデオ信号に変換すると、遠隔制御装置のモニターで表示されて、これらのキーボード、マウスデータパケットがそれぞれ一台のコンピュータを指す目標アドレス及び一台の遠隔制御装置を指すソースアドレスを有して、かつこれらのビデオデータパケットがそれぞれ一台の遠隔制御装置を指す目標アドレス及び一台のコンピュータを指すソースアドレスを有する複数の第１信号延長装置と、複数台のコンピュータ及び複数台のブロードキャスト装置を接続して、アナログビデオ信号をビデオデータパケットに変換し、かつキーボード、マウスデータパケットをアナログキーボード、マウス信号に変換すると、コンピュータを制御して、これらのビデオデータパケットがそれぞれ一台の遠隔制御装置を指す目標アドレス及び一台のコンピュータを指すソースアドレスを有して、これらのキーボード、マウスデータパケットがそれぞれ一台のコンピュータを指す目標アドレス及び一台の遠隔制御装置を指すソースアドレスを有する複数の第２信号延長装置と、一台の遠隔制御装置から一台のコンピュータへルートするため、それぞれ一台の遠隔制御装置を指すソースアドレス及び一台のコンピュータを指す目標アドレスを有するキーボード、マウスデータパケットをブロードキャストして、かつ一台のコンピュータから一台の遠隔制御装置へルートするため、それぞれ一台のコンピュータを指すソースアドレス及び一台の遠隔制御装置を指す目標アドレスを有するビデオデータパケットをブロードキャストする複数台のブロードキャスト装置とを含むことを特徴とする信号延長装置用のマトリクスアーキテクチャ。
【請求項３】
前記ソースアドレス及び目標アドレスがインターネットプロトコルアドレスもしくは媒体アクセス制御アドレスであることを特徴とする請求項１または請求項２に記載の信号延長装置用のマトリクスアーキテクチャ。
【請求項４】
前記ブロードキャスト装置の接続回路が各遠隔制御装置と各コンピュータの間に少なくとも二つ経路を提供して、キーボード、ビデオ及びマウスデータパケットをブロードキャストすることを特徴とする請求項１または請求項２に記載の信号延長装置用のマトリクスアーキテクチャ。                    
【請求項５】
前記第１信号延長装置はイーサネット規格による、前記第１信号延長装置と接続する遠隔制御装置を指す目標アドレスを有する各ビデオデータパケットに応じることを特徴とする請求項１または請求項２に記載の信号延長装置用のマトリクスアーキテクチャ。
【請求項６】
前記第２信号延長装置はイーサネット規格による、前記第２信号延長装置と接続するコンピュータを指す目標アドレスを有する各キーボード、マウスデータパケットに応じることを特徴とする請求項１または請求項２に記載の信号延長装置用のマトリクスアーキテクチャ。
【請求項７】
前記ブロードキャスト装置はパケットを送受信ができる装置であることを特徴とする請求項６に記載の信号延長装置用のマトリクスアーキテクチャ。
【請求項８】
前記ブロードキャスト装置はハブ、スイッチハブ、ブリッジ及びルータが構成する群から選択される装置であることを特徴とする請求項７に記載の信号延長装置用のマトリクスアーキテクチャ。
【請求項９】
前記ブロードキャスト装置はイーサネット規格による、キーボード、ビデオ及びマウスデータパケットをブロードキャストすることを特徴とする請求項７に記載の信号延長装置用のマトリクスアーキテクチャ。                
【請求項１０】
信号延長装置用のマトリクスアーキテクチャ中、それぞれ複数の第１信号延長装置と接続される複数台の遠隔制御装置と、それぞれ複数の第２信号延長装置と接続される複数台のコンピュータとを接続するための実施方法であって、
一台の遠隔制御装置から生成されるアナログキーボード、マウス信号をそれぞれ前記遠隔制御装置を指すソースアドレス及び一台のコンピュータを指す目標アドレスを有するキーボード、マウスデータパケットに変換するステップと、
一台の第１信号延長装置から複数の第２信号延長装置まで、これらのキーボード、マウスデータパケットをブロードキャストするステップと、
前記遠隔制御装置からのキーボード、マウスデータパケットをアナログキーボード、マウス信号に変換して、前記コンピュータを制御するステップと、
前記コンピュータから生成されるアナログビデオ信号をそれぞれ前記コンピュータを指すソースアドレス及び前記遠隔制御装置を指す目標アドレスを有するビデオデータパケットに変換するステップと、
一台の第２信号延長装置から複数の第１信号延長装置まで、これらのビデオデータパケットをブロードキャストするステップと、
前記コンピュータからのビデオデータパケットをアナログビデオ信号に変換して、前記遠隔制御装置のモニターで表示されるステップとを含むことを特徴とするルーティング方法。
【請求項１１】
前記第１信号延長装置と第２信号延長装置は、あらかじめ定められた一台のコンピュータに応じて一台の遠隔制御装置を選択するために、イーサネット規格による、前記キーボード、ビデオ及びマウスデータパケットに応じることを特徴とする請求項１０に記載のルーティング方法。
【発明の詳細な説明】
【技術分野】
【０００１】
この発明はキーボード、ビデオ及びマウス信号延長装置用のマトリクスアーキテクチャに関し、特に複数台の遠隔制御装置と複数台のコンピュータを接続するキーボード、ビデオ及びマウス信号延長装置用のマトリクスアーキテクチャに関する。
【背景技術】
【０００２】
複数台のコンソールと複数台のコンピュータの間に相互に接続することができ、さらに信号調整装置を使用して対応するコンソールとコンピュータを接続することで、通信距離を延長することができるものはいわゆるマトリクスコンピュータスイッチである。前記マトリクスコンピュータスイッチとは、同時に異なるコンソールでマトリクスクロススイッチ（マトリクスキーボード、ビデオ及びマウス信号切替器）によって、複数のユーザーがそれぞれ選択されたコンピュータを遠隔操作することができるコンピュータ遠隔制御システムである。
【０００３】
図1には、従来技術の複数台のコンソールと複数台のコンピュータの間に相互に接続されたマトリクスクロススイッチが示されている。このようなマトリクスクロススイッチに関して従来技術ですでに発行された米国特許第5,721,842号、第5,884,096号、第5,937,176号、第6,345,323号及び第6,112,264号において開示されていることがある。マトリクスクロススイッチ114としては、コンソール（102,104,106）から遠隔的なコンピュータ（108,110,112）の一つまで接続するために、全部のキーボード、ビデオ及びマウス信号を処理する。ただし、実際には通信距離の需要のために、前記マトリクスクロススイッチ114の使用には同時に信号調整装置（120,122,124,126,128,130）の使用が必要となる。前記マトリクスクロススイッチ114に係る制御原理について、以下に説明する。
【０００４】
最初、ユーザーは一台のコンソールでコンピュータの一つを選択する。ユーザーは選択されたコンピュータを制御するために、前記コンソールから、コンソールに連結する信号調整装置、マトリクスクロススイッチ114及びコンピュータに連結する信号調整装置を経由し、選択されたコンピュータまでキーボード、マウス信号を送信する。なお、コンソールは前記と逆の順序に前記コンソールのモニターで表示されるためのビデオ信号を受信する。例えば、ユーザーはコンソール102側でコンピュータ108を選択すると、他のコンピュータ110、或いは112はコンソール102からキーボード及びマウス信号を受け取らない。前記コンピュータ108を制御するため、ユーザーはコンソール102側でキーボード及びマウスを操作して、信号調整装置120から、マトリクスクロススイッチ114及び信号調整装置126を経由し、コンピュータ108までキーボード、マウス信号を送信する。また、前記コンソール102のモニターで実時間の操作状態を表示できるため、コンピュータ108のキーボード及びマウスを操作して得たビデオ信号は信号調整装置126から、マトリクスクロススイッチ114及び信号調整装置120を経由し、コンソール102まで返送され、モニターで表示されることによって、ユーザーは監視できる。別のユーザーも別のコンソール側で同様な操作ができないし同時に操作もできる。したがって、コンソール102、104、106のいずれかを使用し、ユーザーはコンピュータ108、110、112のいずれかを制御することができる。なお、前記マトリクスクロススイッチ114は複数台のコンソールと接続でき、同時に複数ユーザーはそれぞれが複数台のコンピュータを操作することができる。
【０００５】
しかしながら、前記マトリクスクロススイッチ114は複雑な、かつ高価なものとなる。一方、これは通信中心位置であり、全部のキーボード、ビデオ及びマウス信号を処理することによって、一旦このマトリクスクロススイッチ114が故障すれば、スイッチ構成全体100は通信不能となる。コンソールのいずれかを操作する各ユーザーは同じ程度の故障率を持つ。また、信号調整装置の使用目的はコンソールとマトリクスクロススイッチ114の間、或いはコンピュータとマトリクスクロススイッチ114の間の通信距離を延長するだけである。遺憾なことに、現在の信号調整装置としてはコンソールとコンピュータの間に延長できる距離はまだ限界がある。一般的に現在の信号調整装置としてはユーザーがコンピュータ、またはマトリクスクロススイッチとの遠隔制御を許される距離は150mまでであり、一部の信号調整装置では300mまでである。
【０００６】
実際、ユーザーの明確な距離延長の要求のために、関連製造業者はもっとよい信号調整装置の設計に改善に力を入れている。ただし、単一ケーブルを使用すると、ケーブルの長さを伸ばすことを伴うようになる。ここで、信号伝送の減衰を避けるため、信号の出力を向上させることが必要である。従って、このようなマトリクスクロススイッチが故障して、スイッチ構成全体100が通信不能となることを避けるため、且つコンソールとコンピュータの間の距離延長の明確な要求があるために、信号延長装置用のマトリクスアーキテクチャを発展することは必要である。
【０００７】
【特許文献１】米国特許ＵＳＰ５，７２１，８４２号公報
【特許文献２】米国特許ＵＳＰ５，８８４，０９６号公報
【特許文献３】米国特許ＵＳＰ５，９３７，１７６号公報
【特許文献４】米国特許ＵＳＰ６，３４５，３２３号公報
【特許文献５】米国特許ＵＳＰ６，１１２，２６４号公報
【発明の開示】
【発明が解決しようとする課題】
【０００８】
この発明は、第１信号延長装置のいずれかと第２信号延長装置のいずれかとの間に少なくとも一つ経路を提供して、マトリクスクロススイッチが故障してしまう場合とは異なり、ネットワーク構成全体が通信不能となることを避けることができるとともに、遠隔制御装置とコンピュータの間の距離を延長できるキーボード、ビデオ及びマウス信号延長装置用のマトリクスアーキテクチャを提供することを課題とする。
【課題を解決するための手段】
【０００９】
そこで、本発明者は従来の技術に見られる欠点に鑑みて鋭意研究を重ねた結果、複数台の遠隔制御装置と複数台のコンピュータの間に備える少なくとも一台のブロードキャスト装置を経由し、複数台の遠隔制御装置からのキーボード、マウスデータパケットと複数台のコンピュータからのビデオデータパケットをブロードキャストする信号延長装置用のマトリクスアーキテクチャであって、複数台の遠隔制御装置及び複数台のブロードキャスト装置を接続して、アナログキーボード、マウス信号をキーボード、マウスデータパケットに変換し、かつビデオデータパケットをアナログビデオ信号に変換すると、遠隔制御装置のモニターで表示されて、これらのブロードキャスト装置がそれぞれ一台の遠隔制御装置を指すソースアドレス及び一台のコンピュータを指す目標アドレスを有するキーボード、マウスデータパケットをブロードキャストすると、前記遠隔制御装置から前記コンピュータへルートし、かつそれぞれ一台の遠隔制御装置を指す目標アドレス及び一台のコンピュータを指すソースアドレスを有するビデオデータパケットをブロードキャストすると、前記コンピュータから前記遠隔制御装置へルートできる複数の第１信号延長装置と、複数台のコンピュータ及び複数台のブロードキャスト装置を接続して、アナログビデオ信号をビデオデータパケットに変換し、かつキーボード、マウスデータパケットをアナログキーボード、マウス信号に変換すると、コンピュータを制御して、これらのブロードキャスト装置が、これらの第２信号延長装置からこれらの第１信号延長装置へ、それぞれ一台のコンピュータを指すソースアドレス及び一台の遠隔制御装置を指す目標アドレスを有するビデオデータパケットをブロードキャストすると、前記コンピュータから前記遠隔制御装置へルートし、かつこれらの第１信号延長装置からこれらの第２信号延長装置へ、それぞれ一台の遠隔制御装置を指すソースアドレス及び一台のコンピュータを指す目標アドレスを有するキーボード、マウスデータパケットをブロードキャストすると、前記遠隔制御装置から前記コンピュータへルートする複数の第２信号延長装置とを含むことを特徴とする信号延長装置用のマトリクスアーキテクチャによって本発明の課題を解決できる点に着眼し、係る知見に基づき本発明を完成させた。
以下、この発明について具体的に説明する。
【００１０】
請求項１に記載する信号延長装置用のマトリクスアーキテクチャは、複数台の遠隔制御装置と複数台のコンピュータの間に備える少なくとも一台のブロードキャスト装置を経由し、複数台の遠隔制御装置からのキーボード、マウスデータパケットと複数台のコンピュータからのビデオデータパケットをブロードキャストする信号延長装置用のマトリクスアーキテクチャであって、複数台の遠隔制御装置及び複数台のブロードキャスト装置を接続して、アナログキーボード、マウス信号をキーボード、マウスデータパケットに変換し、かつビデオデータパケットをアナログビデオ信号に変換すると、遠隔制御装置のモニターで表示されて、これらのブロードキャスト装置がそれぞれ一台の遠隔制御装置を指すソースアドレス及び一台のコンピュータを指す目標アドレスを有するキーボード、マウスデータパケットをブロードキャストすると、前記遠隔制御装置から前記コンピュータへルートし、かつそれぞれ一台の遠隔制御装置を指す目標アドレス及び一台のコンピュータを指すソースアドレスを有するビデオデータパケットをブロードキャストすると、前記コンピュータから前記遠隔制御装置へルートできる複数の第１信号延長装置と、複数台のコンピュータ及び複数台のブロードキャスト装置を接続して、アナログビデオ信号をビデオデータパケットに変換し、かつキーボード、マウスデータパケットをアナログキーボード、マウス信号に変換すると、コンピュータを制御して、これらのブロードキャスト装置が、これらの第２信号延長装置からこれらの第１信号延長装置へ、それぞれ一台のコンピュータを指すソースアドレス及び一台の遠隔制御装置を指す目標アドレスを有するビデオデータパケットをブロードキャストすると、前記コンピュータから前記遠隔制御装置へルートし、かつこれらの第１信号延長装置からこれらの第２信号延長装置へ、それぞれ一台の遠隔制御装置を指すソースアドレス及び一台のコンピュータを指す目標アドレスを有するキーボード、マウスデータパケットをブロードキャストすると、前記遠隔制御装置から前記コンピュータへルートする複数の第２信号延長装置とを含む。
【００１１】
請求項２に記載する信号延長装置用のマトリクスアーキテクチャは、各にキーボード、モニター及びマウス装置を有する複数台の遠隔制御装置と複数台のコンピュータを接続するため、複数台の遠隔制御装置及び複数台のブロードキャスト装置を接続して、アナログキーボード、マウス信号をキーボード、マウスデータパケットに変換し、かつビデオデータパケットをアナログビデオ信号に変換すると、遠隔制御装置のモニターで表示されて、これらのキーボード、マウスデータパケットがそれぞれ一台のコンピュータを指す目標アドレス及び一台の遠隔制御装置を指すソースアドレスを有して、かつこれらのビデオデータパケットがそれぞれ一台の遠隔制御装置を指す目標アドレス及び一台のコンピュータを指すソースアドレスを有する複数の第１信号延長装置と、複数台のコンピュータ及び複数台のブロードキャスト装置を接続して、アナログビデオ信号をビデオデータパケットに変換し、かつキーボード、マウスデータパケットをアナログキーボード、マウス信号に変換すると、コンピュータを制御して、これらのビデオデータパケットがそれぞれ一台の遠隔制御装置を指す目標アドレス及び一台のコンピュータを指すソースアドレスを有して、これらのキーボード、マウスデータパケットがそれぞれ一台のコンピュータを指す目標アドレス及び一台の遠隔制御装置を指すソースアドレスを有する複数の第２信号延長装置と、一台の遠隔制御装置から一台のコンピュータへルートするため、それぞれ一台の遠隔制御装置を指すソースアドレス及び一台のコンピュータを指す目標アドレスを有するキーボード、マウスデータパケットをブロードキャストして、かつ一台のコンピュータから一台へ遠隔制御装置ルートするため、それぞれ一台のコンピュータを指すソースアドレス及び一台の遠隔制御装置を指す目標アドレスを有するビデオデータパケットをブロードキャストする複数台のブロードキャスト装置とを含む。
【００１２】
請求項３に記載する信号延長装置用のマトリクスアーキテクチャは、請求項１、もしくは請求項２におけるソースアドレス及び目標アドレスがインターネットプロトコルアドレス、もしくは媒体アクセス制御アドレスである。
【００１３】
請求項４に記載する信号延長装置用のマトリクスアーキテクチャは、請求項１、もしくは請求項２におけるブロードキャスト装置の接続回路が各遠隔制御装置と各コンピュータの間に少なくとも二つ経路を提供して、キーボード、ビデオ及びマウスデータパケットをブロードキャストする。
【００１４】
請求項５に記載する信号延長装置用のマトリクスアーキテクチャは、請求項１、もしくは請求項２における第１信号延長装置がイーサネット規格による、前記第１信号延長装置と接続する遠隔制御装置を指す目標アドレスを有する各ビデオデータパケットに応じる。
【００１５】
請求項６に記載する信号延長装置用のマトリクスアーキテクチャは、請求項１、もしくは請求項２における第２信号延長装置がイーサネット規格による、前記第２信号延長装置と接続するコンピュータを指す目標アドレスを有する各キーボード、マウスデータパケットに応じる。
【００１６】
請求項７に記載する信号延長装置用のマトリクスアーキテクチャは、請求項６におけるブロードキャスト装置がパケットを送受信できる装置である。
【００１７】
請求項８に記載する信号延長装置用のマトリクスアーキテクチャは、請求項６におけるブロードキャスト装置がハブ、スイッチハブ、ブリッジ及びルータで構成する群から選択される装置である。
【００１８】
請求項９に記載する信号延長装置用のマトリクスアーキテクチャは、請求項６におけるブロードキャスト装置がイーサネット規格により、キーボード、ビデオ及びマウスデータパケットをブロードキャストする。
【００１９】
請求項１０に記載するルーティング方法は、信号延長装置用のマトリクスアーキテクチャ中、それぞれ複数の第１信号延長装置と接続される複数台の遠隔制御装置と、それぞれ複数の第２信号延長装置と接続される複数台のコンピュータとを接続するための実施方法であって、一台の遠隔制御装置から生成されるアナログキーボード、マウス信号をそれぞれ前記遠隔制御装置を指すソースアドレス及び一台のコンピュータを指す目標アドレスを有するキーボード、マウスデータパケットに変換するステップと、一台の第１信号延長装置から複数の第２信号延長装置まで、これらのキーボード、マウスデータパケットをブロードキャストするステップと、前記遠隔制御装置からキーボード、マウスデータパケットをアナログキーボード、マウス信号に変換して、前記コンピュータを制御するステップと、前記コンピュータから生成されるアナログビデオ信号をそれぞれ前記コンピュータを指すソースアドレス及び前記遠隔制御装置を指す目標アドレスを有するビデオデータパケットに変換するステップと、一台の第２信号延長装置から複数の第１信号延長装置まで、これらのビデオデータパケットをブロードキャストするステップと、前記コンピュータからビデオデータパケットをアナログビデオ信号に変換して、前記遠隔制御装置のモニターで表示されるステップとを含む。
【００２０】
請求項１１に記載するルーティング方法は、請求項１０における第１信号延長装置と第２信号延長装置が、あらかじめ定められた一台のコンピュータに応じて一台の遠隔制御装置を選択するために、イーサネット規格による、前記キーボード、ビデオ及びマウスデータパケットに応じる。
【００２１】
特に、前記ブロードキャスト装置、例えばハブは、イーサネット規格により、前記キーボード、ビデオ及びマウスデータパケットをブロードキャストする。従って、この発明による、遠隔制御装置とコンピュータの間に少なくとも一台ハブを増やして、中継器とすると、信号伝送の減衰を避けるとともに、伝送距離を延長もできる。ハブだけを使用すれば、衝突検出範囲の発生を防ぐために、周知の5-4-3ルールを注意することが必要である。これは[任意の2つのノード間の経路上において，セグメント数は5以内，リピータ数は4以内，同軸ケーブルセグメント数は3以内でなけれらばならない。]というものである。すなわち、各遠隔制御装置と各コンピュータの間に設置されるハブ数量が最も多くても四つまでこいう限制である。ただし、任意の種類のトランシーバー（送受機）、例えばルータ、ブリッジ、またはスイッチハブを組合わせて、5-4-3ルールの限制を克服すると、理論的に距離の延長は限制がなくなる。
【発明の効果】
【００２２】
マトリクスアーキテクチャ中でブロードキャスト装置を適当に配線配置すると、各遠隔制御装置と各コンピュータの間に少なくとも一つ経路を提供して、キーボード、ビデオ及びマウスパケットをブロードキャストすることによって、１つのマトリクスクロススイッチが使用されており、このマトリクスクロススイッチが故障してしまう場合とは異なり、ネットワーク構成全体が通信不能となることを避けることができるとともに、遠隔制御装置とコンピュータの間の距離を延長することができる。
また、本発明は単純な信号延長装置の構成ではなく、さらに前記マトリクスクロススイッチの効能も備える。他方、複雑で、高価な前記マトリクスクロススイッチが必要ではなく、すなわち、従来技術より、本発明の信号延長装置用のマトリクスアーキテクチャは比較的簡単な構成を備えて、なお、延長距離は長くなる。
なお、本発明は現存なネットワークを使う使用者にとっては有利である。一般的にネットワーク共用のため、ハブ、ルータ、ブリッジまたはスイッチハブは既に使用しており、余分な費用が必要ではない。本発明がなければ、従来技術のマトリクスクロススイッチを購入して、ネットワーク構成の全体を再配置することが必要である。
【発明を実施するための最良の形態】
【００２３】
この発明は信号延長装置用のマトリクスアーキテクチャを提供するものであって、複数台の遠隔制御装置と複数台のコンピュータの間に備える少なくとも一台のブロードキャスト装置を経由し、複数台の遠隔制御装置からのキーボード、マウスデータパケットと複数台のコンピュータからのビデオデータパケットをブロードキャストする信号延長装置用のマトリクスアーキテクチャによって、マトリクスクロススイッチを使用する場合と異なり、スイッチが故障してネットワーク構成全体が通信不能となることを避けることができ、他方、遠隔制御装置とコンピュータの間の距離を延長できるという目的を実現した。
係る信号延長装置用のマトリクスアーキテクチャについて、そのアーキテクチャと特徴を詳述するために具体的な実施例を挙げ、以下に説明する。
【００２４】
図２は、この発明の第１実施例による、遠隔制御装置とコンピュータの間に備えるブロードキャスト装置でキーボード、ビデオ及びマウスデータパケットをブロードキャストするキーボード、ビデオ及びマウス信号延長装置用のマトリクスアーキテクチャを示した説明図である。複数台の遠隔制御装置と複数台のコンピュータの間に備える複数台のブロードキャスト装置を経由し、キーボード、ビデオ及びマウスデータパケットをブロードキャストすると、各遠隔制御装置と各コンピュータの間の距離を延長できる。なお、マトリクスクロススイッチで、キーボード、ビデオ及びマウス信号の転送を操作する時に、遠隔制御装置とコンピュータの間には一つの通信経路のみを有する。このようなマトリクスクロススイッチが故障すると、スイッチ構成全体は通信不能となることを避けることができない。本発明の各遠隔制御装置と各コンピュータの間に少なくとも一つ経路を提供する目的は、マトリクスクロススイッチが通信中心位置であって、全部のキーボード、ビデオ及びマウス信号を処理する場合にスイッチ構成全体が通信不能となる可能性を避けることである。信号延長装置用のマトリクスアーキテクチャ中で適当に配線配置すると、前記の目的は実現できる。
【００２５】
まず、これらの遠隔制御装置202、204、206、208、及びコンピュータ212、214、216、218はそれぞれ唯一のアドレスを有することによって、イーサネット中で各の独特性を確認することができる。ネットワーク中で使用されるこれらのアドレスはインターネットプロトコルアドレス（IP）、もしくは媒体アクセス制御アドレス（MAC）である。これらの遠隔制御装置202、204、206、208はそれぞれ、第１信号延長装置230、232、234、236と接続する。適当にハブを配線配置して、第２信号延長装置242、244、246、248と接続すると、コンピュータ212、214、216、218へアクセスするための経路が完成する。
【００２６】
実例を示すと、遠隔制御装置202で操作するユーザーは、コンピュータ212を制御したい場合は、まず、第１信号延長装置230へ、遠隔制御装置202で生成されるアナログキーボード、及びマウス信号を送信し、第１信号延長装置230で、これらの信号をそれぞれ前記遠隔制御装置202を指すソースアドレス及び前記コンピュータ212を指す目標アドレスを有するキーボード、マウスデータパケットに変換する。次に、第１信号延長装置230は、これらのキーボード、マウスデータパケットをハブ222に転送する。
【００２７】
前記ハブ222は第２信号延長装置242、244、及びハブ224にこれらのキーボード、マウスデータパケットをブロードキャストする。次に、ハブ224は第２信号延長装置246、248にこれらのキーボード、マウスデータパケットブロードキャストする。各第２信号延長装置はこれらのキーボード、マウスデータパケットを受信するが、事前に目標アドレスを指定されるコンピュータ212を接続する第２信号延長装置242だけはこれらのキーボード、マウスデータパケットをアナログキーボード、マウス信号に変換して、コンピュータ212を制御する。他の第２信号延長装置244,246,248をそれぞれ接続するコンピュータ214,216,218の各アドレスは、これらのキーボード、マウスデータパケットが有するアドレスと違うので、第２信号延長装置244,246,248はこれらのキーボード、マウスデータパケットを処理しない。
【００２８】
なお、コンピュータ212で生成されるアナログビデオ信号を第２信号延長装置242に送信して、第２信号延長装置242で、これらの信号をそれぞれ前記コンピュータ212を指すソースアドレス及び前記遠隔制御装置202を指す目標アドレスを有するビデオデータパケットに変換する。第２信号延長装置242は、これらのビデオデータパケットをハブ222に転送する。前記ハブ222は第１信号延長装置230、232及びハブ224にこれらのビデオデータパケットブロードキャストして、さらにハブ226にブロードキャストする。前記ハブ226は第１信号延長装置234、236にこれらのビデオデータパケットブロードキャストする。前記キーボード、マウスデータパケットと同様にこれらのビデオデータパケットは処理され、遠隔制御装置202を接続する第１信号延長装置230だけはこれらのビデオデータパケットをアナログビデオ信号に変換して、遠隔制御装置202のモニターで表示される。他の第１信号延長装置232、234、236をそれぞれ接続する遠隔制御装置204,206,208の各アドレスは、これらのビデオデータパケットが有するアドレスと違うので、第１信号延長装置232、234、236はこれらのビデオデータパケットを処理しない。なお、遠隔制御装置204、206、208についても、遠隔制御装置202と同様な処理をする。
【００２９】
前記のように、ユーザーは遠隔制御装置のいずれかで、コンピュータのいずれかを遠隔操作することができる。本発明によって、第１信号延長装置230、232、234、236及び第２信号延長装置242、244、246、248のマトリクスアーキテクチャを設立して、それぞれ遠隔制御装置202、204、206、208を接続する第１信号延長装置230、232、234、236と、それぞれコンピュータ212、214、216、218を接続する第２信号延長装置242、244、246、248の間に、設置されるハブ222、224、226が伴うと、ハブの数量を調整するによって、遠隔制御装置202、204、206、208とコンピュータ212、214、216、218の間の距離を延長できる。（この部分は後で詳しく述べる）。さらに第１信号延長装置のいずれかと第２信号延長装置のいずれかとの間に少なくとも一つ経路を提供することで、１つのマトリクスクロススイッチが使用されており、このスイッチが故障してしまう場合とは異なり、ネットワーク構成全体が通信不能となることを避けることができる。
【００３０】
図３は、この発明の第２実施例による、遠隔制御装置とコンピュータの間に備えるブロードキャスト装置でキーボード、ビデオ及びマウスデータパケットをブロードキャストするキーボード、ビデオ及びマウス信号延長装置用のマトリクスアーキテクチャを示した説明図である。たとえば、遠隔制御装置202で操作するユーザーは、遠隔制御装置202を接続する第１信号延長装置230とコンピュータ212を接続する第２信号延長装置242を介して、コンピュータ212を制御したい場合、通常通信経路は、ハブ304−ハブ310とする。ハブ304が故障すれば、前記通信経路は自動的にハブ306−ハブ302−ハブ310に変更することができる。ハブ310が故障すれば、前記通信経路は自動的にハブ304−ハブ302−ハブ308に変更することができる。ハブ304も、ハブ310も故障すれば、前記通信経路は自動的にハブ306−ハブ308に変更することができる。ここでは、遠隔制御装置202とコンピュータ212の実例であるが、複数台の遠隔制御装置と複数台のコンピュータの様々な組み合わせには、前記信号延長装置用のマトリクスアーキテクチャは同様な効果を達成することができる。
【００３１】
図４は、この発明の第３実施例による、遠隔制御装置とコンピュータの間に備えるブロードキャスト装置でキーボード、ビデオ及びマウスデータパケットをブロードキャストするキーボード、ビデオ及びマウス信号延長装置用のマトリクスアーキテクチャを示した説明図である。遠隔制御装置202、または204で操作するユーザーは、遠隔制御装置202、204を接続する第１信号延長装置230、232とコンピュータ212、214をそれぞれ接続する第２信号延長装置242、244を介して、コンピュータ212、またはコンピュータ214を制御したい場合は、本発明は少なくとも二つ経路を提供して、遠隔制御装置のいずれかからコンピュータのいずれかまで、キーボード、マウスデータパケットをブロードキャストするとともに、前記と逆の順序にビデオデータパケットをブロードキャストする。マトリクスアーキテクチャ中でブロードキャスト装置を適当に配線配置すると、１つのマトリクスクロススイッチが使用されており、このマトリクスクロススイッチが故障してしまう場合とは異なり、ネットワーク構成全体が通信不能となることを避けることができるとともに、ユーザーが需要する通信距離に応じるため、遠隔制御装置のいずれかとコンピュータいずれかとの間に必要数量のハブを設置し、前記遠隔制御装置と前記コンピュータの間の通信距離の延長ができる。
【００３２】
図５は、第１信号延長装置に接続された遠隔制御装置と、第２信号延長装置に接続されたコンピュータとの間の経路であって、距離を延長するための複数のハブを経由した経路と、第１信号延長装置及び第２信号延長装置の内部の簡単な構成とを示す説明図である。第１信号延長装置230は第１プロセッサー502、ダック(D/A
converter)504、キーボード、マウスコネクター、ブイジーエー（Video Graphic Array）コントローラー、及びニック（network interface controller）を含む。第２信号延長装置242は第２プロセッサー506、エーディーシー（A/D converter）508、キーボード、マウスコネクター、及びニック（network interface
controller）を含む。図５中で、二台ハブが表示されているが、必要数量のハブ、もしくはパケット送受信装置を設置することで、前記遠隔制御装置202と前記コンピュータ212の間の通信距離の延長ができる。ただし、一台のパケット送受信装置が設置されることによって、延長できる通信距離は前記パケット送受信装置の規格により、決められることである。
【００３３】
なお、ビデオデータパケットはネットワークへの送信量が多くなる。（ネットワークに莫大な負荷となることである。）第２信号延長装置242のエーディーシー（A/D converter）508がアナログビデオ信号をビデオデータパケットに変換すると、第２プロセッサー506はこれらのビデオデータパケットを圧縮する。第１信号延長装置230の第１プロセッサー502はこれらのビデオデータパケットを解凍すると、ダック(D/A converter)504がこれらのビデオデータパケットをアナログビデオ信号に変換する。そして、前記遠隔制御装置202のモニターで表示される。ビデオデータパケットを圧縮することにより、ネットワークの負荷は減少できる。
【００３４】
図６は、この発明のマトリクスアーキテクチャによる、第１信号延長装置に接続される遠隔制御装置と、第２信号延長装置に接続されるコンピュータとを通信するルーティング方法を表示する流れ図である。前記方法について、以下に説明する。
【００３５】
ステップS602では、アナログキーボード、マウス信号をそれぞれ前記遠隔制御装置を指すソースアドレス及び一台のコンピュータを指す目標アドレスを有するキーボード、マウスデータパケットに変換する；
ステップS604では、一台の第１信号延長装置から複数の第２信号延長装置まで、これらのキーボード、マウスデータパケットをブロードキャストする；
ステップS606では、前記コンピュータに接続する第２信号延長装置が前記遠隔制御装置からのキーボード、マウスデータパケットをアナログキーボード、マウス信号に変換して、前記コンピュータを制御する；
ステップS608では、前記コンピュータから生成されるアナログビデオ信号をそれぞれ前記コンピュータを指すソースアドレス及び前記遠隔制御装置を指す目標アドレスを有するビデオデータパケットに変換する；
ステップS610では、前記第２信号延長装置から複数の第１信号延長装置まで、これらのビデオデータパケットをブロードキャストする；
ステップS612では、前記コンピュータからのビデオデータパケットをアナログビデオ信号に変換して、前記遠隔制御装置のモニターで表示させる。
【００３６】
前記のように、これらのハブはこれらのキーボード、ビデオ及びマウスデータパケットをブロードキャストする。第１信号延長装置と第２信号延長装置はイーサネット規格による、これらのキーボード、ビデオ及びマウスデータパケットに応じる。換言すれば、第１信号延長装置と第２信号延長装置のいずれかがこれらのデータパケットを受信するが、前記第１信号延長装置、または第２信号延長装置は前記遠隔制御装置、またはコンピュータを指す目標アドレスを有するキーボード、ビデオ及びマウスデータパケットだけをキーボード、ビデオ及びマウス信号を変換する。これらのキーボード、ビデオ及びマウスデータパケット以外は処理されない。
【００３７】
最後に、本発明によって、提供されるキーボード、ビデオ及びマウス信号延長装置用のマトリクスアーキテクチャは第１信号延長装置のいずれかと第２信号延長装置のいずれかとの間に、少なくとも二つ経路を提供して、かつ前記遠隔制御装置と前記コンピュータの間に設置されるハブで、通信距離の延長ができる。
【００３８】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００３９】
【図１】従来技術における複数台のコンソールと複数台のコンピュータを接続するマトリクスクロススイッチの構造を示した説明図である。
【図２】この発明の第１実施例による、遠隔制御装置とコンピュータの間に備えるブロードキャスト装置でキーボード、ビデオ及びマウスデータパケットをブロードキャストするキーボード、ビデオ及びマウス信号延長装置用のマトリクスアーキテクチャを示した説明図である。
【図３】この発明の第２実施例による、遠隔制御装置とコンピュータの間に備えるブロードキャスト装置でキーボード、ビデオ及びマウスデータパケットをブロードキャストするキーボード、ビデオ及びマウス信号延長装置用のマトリクスアーキテクチャを示した説明図である。
【図４】この発明の第３実施例による、遠隔制御装置とコンピュータの間に備えるブロードキャスト装置でキーボード、ビデオ及びマウスデータパケットをブロードキャストするキーボード、ビデオ及びマウス信号延長装置用のマトリクスアーキテクチャを示した説明図である。
【図５】この発明による、第１信号延長装置に接続された遠隔制御装置と第２信号延長装置に接続されたコンピュータとの間の経路であって、距離を延長するための複数のハブを経由した経路と、第１信号延長装置及び第２信号延長装置の内部の簡単な構成とを示した説明図である。
【図６】この発明のマトリクスアーキテクチャによる、第１信号延長装置に接続される遠隔制御装置と、第２信号延長装置に接続されるコンピュータとを通信するルーティング方法を表示する流れ図である。
【符号の説明】
【００４０】
100  スイッチ構成全体
102、104、106  コンソール
108、110、112  コンピュータ
114  マトリクスクロススイッチ
120、122、124、126、128、130  信号調整装置
202、204、206、208  遠隔制御装置
212、214、216、218  コンピュータ
222、224、226  ハブ
230、232、234、236  第１信号延長装置
242、244、246、248  第２信号延長装置
302、304、306、308、310  ハブ
504  ダック
508  エーディーシー
502  第１プロセッサー
506  第２プロセッサー  
【図１】
2007110720.tif 000003
【図２】
2007110720.tif 000004
【図３】
2007110720.tif 000005
【図４】
2007110720.tif 000006
【図５】
2007110720.tif 000007
【図６】
2007110720.tif 000008